(57)【特許請求の範囲】
【請求項１】
端末装置の表示画面にコンテンツ情報を表示させる情報処理装置であって、
前記コンテンツ情報の中から、ユーザに注目させるコンテンツ情報として予め設定された注目コンテンツ情報を特定する注目コンテンツ情報特定手段と、
前記注目コンテンツ情報特定手段により特定された前記注目コンテンツ情報を表示領域外に遷移させようとするスクロール操作であって前記注目コンテンツ情報を含む表示内容をスクロールさせる該スクロール操作に応じて、当該注目コンテンツ情報の複製である複製コンテンツ情報を前記表示画面に表示させる制御手段と、
を備え、
前記制御手段は、前記スクロール操作の開始時における前記注目コンテンツ情報の前記表示画面における表示位置から前記スクロール操作に応じて変位した前記注目コンテンツ情報の表示位置までの距離、前記スクロール操作の継続時間、または、前記スクロールの速度に応じて前記複製コンテンツ情報の表示態様を変化させることを特徴とする情報処理装置。
【請求項２】
前記制御手段は、前記スクロールの速度が所定速度以下になった場合に、前記複製コンテンツ情報の表示を、ユーザから視認不能にさせることを特徴とする請求項１に記載の情報処理装置。
【請求項３】
前記注目コンテンツ情報特定手段は、前記スクロールの速度が所定速度以下になった場合に前記表示画面に表示された新たな注目コンテンツ情報を特定し、
前記制御手段は、前記注目コンテンツ情報特定手段により特定された前記新たな注目コンテンツ情報を表示領域外に遷移させようとするユーザ操作に応じて、当該新たな注目コンテンツ情報の複製である複製コンテンツ情報を前記表示画面に表示させることを特徴とする請求項１に記載の情報処理装置。
【請求項４】
前記制御手段は、前記複製コンテンツ情報を、前記スクロールの速度より遅い速度で、且つ前記スクロールの方向と同じ方向に移動させながら表示させることを特徴とする請求項１に記載の情報処理装置。
【請求項５】
端末装置の表示画面にコンテンツ情報を表示させるコンピュータにより実行される情報処理方法であって、
前記コンテンツ情報の中から、ユーザに注目させるコンテンツ情報として予め設定された注目コンテンツ情報を特定するステップと、
前記特定された前記注目コンテンツ情報を表示領域外に遷移させようとするスクロール操作であって前記注目コンテンツ情報を含む表示内容をスクロールさせる該スクロール操作に応じて、当該注目コンテンツ情報の複製である複製コンテンツ情報を前記表示画面に表示させる制御ステップと、
を含み、
前記制御ステップにおいては、前記スクロール操作の開始時における前記注目コンテンツ情報の前記表示画面における表示位置から前記スクロール操作に応じて変位した前記注目コンテンツ情報の表示位置までの距離、前記スクロール操作の継続時間、または、前記スクロールの速度に応じて前記複製コンテンツ情報の表示態様を変化させることを特徴とする情報処理方法。
【請求項６】
端末装置の表示画面にコンテンツ情報を表示させるコンピュータを、
前記コンテンツ情報の中から、ユーザに注目させるコンテンツ情報として予め設定された注目コンテンツ情報を特定する注目コンテンツ情報特定手段と、
前記注目コンテンツ情報特定手段により特定された前記注目コンテンツ情報を表示領域外に遷移させようとするスクロール操作であって前記注目コンテンツ情報を含む表示内容をスクロールさせる該スクロール操作に応じて、当該注目コンテンツ情報の複製である複製コンテンツ情報を前記表示画面に表示させる制御手段として機能させる情報処理プログラムであって、
前記制御手段は、前記スクロール操作の開始時における前記注目コンテンツ情報の前記表示画面における表示位置から前記スクロール操作に応じて変位した前記注目コンテンツ情報の表示位置までの距離、前記スクロール操作の継続時間、または、前記スクロールの速度に応じて前記複製コンテンツ情報の表示態様を変化させることを特徴とする情報処理プログラム。
【発明の詳細な説明】
【技術分野】
【０００１】
本発明は、インターネット上のＷｅｂサイトから提供されるＷｅｂページにおいて特定のコンテンツ情報を注目させる技術の分野に関する。
【背景技術】
【０００２】
インターネット上には多数のＷｅｂサイトが存在しており、インターネットに接続されたユーザ端末はＷｅｂブラウザによりＷｅｂサイトから取得したＷｅｂページを表示画面に表示する。このようなＷｅｂページには、多くのコンテンツ情報が配置されており、一画面上に表示しきれないコンテンツ情報は、ユーザによるスクロール操作やページ遷移操作により表示可能になっている。例えば、ショッピングサイトやオークションサイトから提供されるＷｅｂページには、出品された各商品に関するコンテンツ情報（商品画像や商品説明等の文字例を含む）の一覧が表示される。そして、この一覧における表示内容は、例えばスクロール操作によりスクロールするようになっている。
【０００３】
ところで、ユーザ端末のユーザは、Ｗｅｂページにおける表示内容のスクロール中に、所望する内容（例えば文字列）を含むコンテンツ情報があるかどうかを一目で判断することは困難である。一方、特許文献１には、地図のスクロール時に、例えば市町村名等の地図構成要素を強調表示する技術が開示されている。このような技術を適用すれば、ユーザは、Ｗｅｂページにおける表示内容のスクロール中に、所望する内容を含むコンテンツ情報があるかどうかを一目で判断することが可能になると考えられる。
【先行技術文献】
【特許文献】
【０００４】
【特許文献１】特開２００９−２８８１１９号公報
【発明の概要】
【発明が解決しようとする課題】
【０００５】
しかしながら、特許文献１に開示された技術では、スクロールによりフレームアウトした（つまり、表示画面外へ追い出された）文字例をユーザに注目させることはできない。特に、ショッピングサイトやオークションサイトから提供されるＷｅｂページには、例えば何百件という多くのコンテンツ情報の一覧が表示されるため、スクロールやページ遷移等により、一旦、フレームアウトしてしまうと、スクロール方向を反転するまでその文字列は再表示されないため、ユーザに注目させることは困難となってしまう。
【０００６】
本発明は、以上の問題等に鑑みてなされたものであり、スクロールやページ遷移等により特定のコンテンツ情報が表示画面から追い出されるような場合であっても、当該特定のコンテンツ情報へのユーザの注意を持続させ易く（ユーザに注目させ易く）することが可能な情報処理装置、情報処理方法、情報処理プログラム、及び情報処理プログラムが記録された記録媒体を提供することを課題とする。
【課題を解決するための手段】
【０００７】
上記課題を解決するために、請求項１に記載の発明は、端末装置の表示画面にコンテンツ情報を表示させる情報処理装置であって、前記コンテンツ情報の中から、ユーザに注目させるコンテンツ情報として予め設定された注目コンテンツ情報を特定する注目コンテンツ情報特定手段と、前記注目コンテンツ情報特定手段により特定された前記注目コンテンツ情報を表示領域外に遷移させようとするスクロール操作であって前記注目コンテンツ情報を含む表示内容をスクロールさせる該スクロール操作に応じて、当該注目コンテンツ情報の複製である複製コンテンツ情報を前記表示画面に表示させる制御手段と、を備え、前記制御手段は、前記スクロール操作の開始時における前記注目コンテンツ情報の前記表示画面における表示位置から前記スクロール操作に応じて変位した前記注目コンテンツ情報の表示位置までの距離、前記スクロール操作の継続時間、または、前記スクロールの速度に応じて前記複製コンテンツ情報の表示態様を変化させることを特徴とする。
【０００８】
この構成によれば、スクロールの速度に応じて複製コンテンツの表示態様が変化するので、より効果的に複製コンテンツ情報を目立たせることができ、より一層、注目コンテンツ情報へのユーザの注意を持続させ易くすることができる。また、この構成によれば、注目コンテンツ情報が変位した距離に応じて複製コンテンツの表示態様が変化するので、より効果的に複製コンテンツ情報を目立たせることができ、より一層、注目コンテンツ情報へのユーザの注意を持続させ易くすることができる。また、この構成によれば、スクロール操作の継続時間に応じて複製コンテンツの表示態様が変化するので、より効果的に複製コンテンツ情報を目立たせることができ、より一層、注目コンテンツ情報へのユーザの注意を持続させ易くすることができる。
【０００９】
請求項２に記載の発明は、請求項１に記載の情報処理装置において、前記制御手段は、前記スクロールの速度が所定速度以下になった場合に、前記複製コンテンツ情報の表示を、ユーザから視認不能にさせることを特徴とする。
【００１０】
この構成によれば、必要以上に複製コンテンツ情報の表示を継続することで、ユーザにとって目障りとなることを防止することができる。
【００１９】
請求項３に記載の発明は、請求項１に記載の情報処理装置において、前記注目コンテンツ情報特定手段は、前記スクロールの速度が所定速度以下になった場合に前記表示画面に表示された新たな注目コンテンツ情報を特定し、前記制御手段は、前記注目コンテンツ情報特定手段により特定された前記新たな注目コンテンツ情報を表示領域外に遷移させようとするユーザ操作に応じて、当該新たな注目コンテンツ情報の複製である複製コンテンツ情報を前記表示画面に表示させることを特徴とする。この構成によれば、スクロールの速度が所定速度以下になったときに新たに表示された注目コンテンツ情報が表示画面から追い出されるような場合であっても、当該新たな注目コンテンツ情報へのユーザの注意を持続させ易くすることができる。
【００２０】
請求項４に記載の発明は、請求項１に記載の情報処理装置において、前記制御手段は、前記複製コンテンツ情報を、前記スクロールの速度より遅い速度で、且つ前記スクロールの方向と同じ方向に移動させながら表示させることを特徴とする。
【００２１】
この構成によれば、スクロールしている注目コンテンツ情報を追いかけるように当該注目コンテンツ情報の複製コンテンツ情報を移動させることができ、その結果、複製コンテンツ情報を、より効果的に目立たせ、注目コンテンツ情報へのユーザの注意を持続させ易くすることができる。
【００２４】
請求項５に記載の発明は、端末装置の表示画面にコンテンツ情報を表示させるコンピュータにより実行される情報処理方法であって、前記コンテンツ情報の中から、ユーザに注目させるコンテンツ情報として予め設定された注目コンテンツ情報を特定するステップと、前記特定された前記注目コンテンツ情報を表示領域外に遷移させようとするスクロール操作であって前記注目コンテンツ情報を含む表示内容をスクロールさせる該スクロール操作に応じて、当該注目コンテンツ情報の複製である複製コンテンツ情報を前記表示画面に表示させる制御ステップと、を含み、前記制御ステップにおいては、前記スクロール操作の開始時における前記注目コンテンツ情報の前記表示画面における表示位置から前記スクロール操作に応じて変位した前記注目コンテンツ情報の表示位置までの距離、前記スクロール操作の継続時間、または、前記スクロールの速度に応じて前記複製コンテンツ情報の表示態様を変化させることを特徴とする。
【００２７】
請求項６に記載の情報処理プログラム（コンピュータ読み取り可能なプログラム）の発明は、端末装置の表示画面にコンテンツ情報を表示させるコンピュータを、前記コンテンツ情報の中から、ユーザに注目させるコンテンツ情報として予め設定された注目コンテンツ情報を特定する注目コンテンツ情報特定手段と、前記注目コンテンツ情報特定手段により特定された前記注目コンテンツ情報を表示領域外に遷移させようとするスクロール操作であって前記注目コンテンツ情報を含む表示内容をスクロールさせる該スクロール操作に応じて、当該注目コンテンツ情報の複製である複製コンテンツ情報を前記表示画面に表示させる制御手段として機能させる情報処理プログラムであって、前記制御手段は、前記スクロール操作の開始時における前記注目コンテンツ情報の前記表示画面における表示位置から前記スクロール操作に応じて変位した前記注目コンテンツ情報の表示位置までの距離、前記スクロール操作の継続時間、または、前記スクロールの速度に応じて前記複製コンテンツ情報の表示態様を変化させることを特徴とする。
【発明の効果】
【００３５】
本発明によれば、端末装置の表示画面に注目コンテンツ情報が表示される場合に、当該注目コンテンツ情報を表示領域外に遷移させようとするユーザ操作に応じて、当該注目コンテンツ情報の複製である複製コンテンツ情報を、当該表示画面に表示させるように構成したので、上記ユーザ操作に応じて、当該注目コンテンツ情報が表示画面から追い出されるような場合であっても、当該注目コンテンツ情報へのユーザの注意を持続させ易く（ユーザに注目させ易く）することができる。
【図面の簡単な説明】
【００３６】
【図１】本実施形態に係る情報提供システムＳの概要構成の一例を示す図である。
【図２】本実施形態に係る情報提供サーバＳＡの概要構成の一例を示すブロック図である。
【図３】各種データベースに登録される内容の一例を示す図である。
【図４】本実施形態に係るユーザ端末Ｔｎの概要構成例を示すブロック図である。
【図５】実施例１における複製コンテンツ情報表示処理を示すフローチャートである。
【図６】実施例１におけるＷｅｂページの表示遷移例を示す図である。
【図７】実施例１におけるＷｅｂページの表示遷移例を示す図である。
【図８】実施例２における複製コンテンツ情報表示処理を示すフローチャートである。
【図９】実施例２におけるＷｅｂページの表示遷移例を示す図である。
【図１０】実施例３における複製コンテンツ情報表示処理を示すフローチャートである。
【図１１】実施例３におけるＷｅｂページの表示遷移例を示す図である。
【発明を実施するための形態】
【００３７】
以下、図面を参照して本発明の実施形態について説明する。なお、以下に説明する実施の形態は、情報提供システムに対して本発明を適用した場合の実施形態である。
【００３８】
［１．情報提供システムの構成及び機能概要］
先ず、本発明の一実施形態に係る情報提供システムＳの構成及び概要機能について、図１を用いて説明する。
【００３９】
図１は、本実施形態に係る情報提供システムＳの概要構成の一例を示す図である。
【００４０】
図１に示すように、情報提供システムＳは、複数のユーザ端末（端末装置の一例）Ｔｎ（ｎ＝１，２，３・・・ｋ）と、情報提供サーバ（情報処理装置の一例）ＳＡと、を含んで構成されている。ユーザ端末Ｔｎ及び情報提供サーバＳＡは、夫々、ネットワークＮＷに接続される。ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００４１】
情報提供サーバＳＡは、例えばショッピングサイトやオークションサイトを運営するために設置されたサーバ（例えば、Ｗｅｂサーバ、及びデータベースサーバ等）である。
【００４２】
図２は、本実施形態に係る情報提供サーバＳＡの概要構成例を示すブロック図である。図２に示すように、情報提供サーバＳＡは、通信部１と、記憶部２と、入出力インターフェース部３と、システム制御部４と、を備えている。そして、システム制御部４と入出力インターフェース部３とは、システムバス５を介して接続されている。
【００４３】
通信部１は、ネットワークＮＷに接続して、ユーザ端末Ｔｎとの通信状態を制御するようになっている。
【００４４】
記憶部２は、例えば、ハードディスクドライブ等により構成されており、オペレーティングシステム及びサーバプログラム等の各種プログラムを記憶する。なお、サーバプログラムは、例えば、所定のサーバ等からネットワークＮＷを介して配信されるようにしても良いし、ＣＤ（Compact Disc）、ＤＶＤ（Digital Versatile Disc）等の記録媒体に記録されて提供されるようにしても良い。
【００４５】
また、記憶部２には、ユーザ端末Ｔｎに表示させるＷｅｂページを構成する構造化文書（例えば、ＨＴＭＬ（Hyper Text Markup Language）文書やＸＨＴＭＬ文書等）ファイル、ＣＣＳ（Cascading Style Sheets）ファイル及び画像ファイル等が記憶されている。Ｗｅｂページには、コンテンツ情報を表示するためのページである。コンテンツ情報は、テキストと画像の少なくとも何れか一方が含まれる。なお、コンテンツ情報は、例えば、Ｗｅｂページを構成する構造化文書でｄｉｖタグ（<div>・・・</div>）によりコンテンツ情報毎に纏められた要素として記述される。
【００４６】
更に、記憶部２には、会員情報データベース（ＤＢ）２１、出品情報データベース（ＤＢ）２２等が構築されている。図３は、各種データベースに登録される内容（項目）の一例を示す図である。
【００４７】
会員情報データベース２１には、図３（Ａ）に示すように、会員登録された個人又は店舗の会員ＩＤ、ニックネーム、氏名又は名称、住所、電話番号、メールアドレス等が会員毎に対応付けられて登録される。会員登録された個人及び店舗は出品者として、ショッピングサイトやオークションサイトを介して販売する商品の出品を行うことができる。
【００４８】
出品情報データベース２２には、図３（Ｂ）に示すように、出品者の会員ＩＤ、出品者のニックネーム又は名称、出品された商品に関する出品情報、及び注目設定有無等が出品毎に対応付けられて登録される。出品情報及び注目設定有無は、出品者が商品の出品の際のユーザ端末Ｔｎに表示された設定画面を介して指定することができる。なお、注目設定を行った出品者は、これに必要な料金を運営者に支払うことになる。
【００４９】
ここで、出品情報には、出品ＩＤ、商品の名称（商品名）、商品の説明、商品の画像データ、商品の価格（オークションの場合、開始価格、即落価格等）、出品期間、商品の配送方法、及び商品の決済方法（支払方法）等が含まれる。ここで、出品ＩＤは、出品毎（言い換えれば、出品された商品毎）に固有に付与される識別子である。
【００５０】
そして、例えば、商品の画像、商品の名称、及び商品の価格、並びに商品の出品者名（ニックネーム又は名称等）等は、Ｗｅｂページを構成する構造化文書でｄｉｖタグにより当該商品のコンテンツ情報（要素）として纏められて記述（画像については例えば画像ファイル名や画像ファイルのＵＲＬが記述）される。また、各商品のコンテンツ情報に対応付けられた出品ＩＤは、例えばｉｄ属性として、対応する各ｄｉｖタグに規定される。
【００５１】
注目設定有無は、商品のコンテンツ情報をユーザ端末Ｔｎのユーザ（閲覧者）に注目させる設定がされているか否かを示す。このように、ユーザに注目させるコンテンツ情報として予め設定されたコンテンツ情報を注目コンテンツ情報という。注目コンテンツ情報は、Ｗｅｂページを構成する構造化文書からＷｅｂブラウザにより特定（識別）可能になっている。例えば、注目設定有である商品の注目コンテンツ情報の出品ＩＤの番号体系と、注目設定無である商品のコンテンツ情報の出品ＩＤの番号体系とは異なるように設定される。或いは、注目設定有である商品の注目コンテンツ情報を規定するｄｉｖタグに、注目コンテンツ情報であることを特徴付ける値を規定するように構成してもよい。
【００５２】
入出力インターフェース部３は、通信部１及び記憶部２とシステム制御部４との間のインターフェース処理を行うようになっている。
【００５３】
システム制御部４は、ＣＰＵ（Central Processing Unit）４ａ、ＲＯＭ（Read Only Memory）４ｂ、ＲＡＭ（Random Access Memory）４ｃ等により構成されている。そして、コンピュータとしてのシステム制御部４は、サーバプログラムを実行することにより、ユーザ端末Ｔｎからのリクエストに応じて各種処理を行うようになっている。例えば、システム制御部４は、ユーザ端末Ｔｎからのページリクエストに応じて、コンテンツ情報を表示するためのＷｅｂページの構造化文書ファイル等をネットワークＮＷを介してユーザ端末Ｔｎに送信する。
【００５４】
次に、図４は、本実施形態に係るユーザ端末Ｔｎの概要構成例を示すブロック図である。図４に示すように、ユーザ端末Ｔｎは、操作部２１と、表示部２２と、通信部２３と、ドライブ部２４と、記憶部２５と、入出力インターフェース部２６と、システム制御部２７と、を備えている。そして、システム制御部２７と入出力インターフェース部２６とは、システムバス２８を介して接続されている。ユーザ端末Ｔｎの例としては、パーソナルコンピュータ（ＰＣ）、ＰＤＡ（Personal Digital Assistant）、携帯電話機、又はスマートホン等が挙げられる。
【００５５】
操作部２１の例としては、キーボード、マウス、タッチパネル等が挙げられる。そして、ユーザにより操作部２１が操作された場合、当該操作に応じた操作信号がシステム制御部２７に出力されることになる。
【００５６】
表示部２２は、各種情報を表示するためのディスプレイを備える。通信部２３は、ネットワークＮＷに接続して情報提供サーバＳＡ等との通信状態を制御する。ドライブ部２４は、例えば、ＣＤ（Compact Disc）、ＤＶＤ（Digital Versatile Disc）等のディスクＤＫ（記録媒体）からデータ等を読み出す一方、当該ディスクＤＫに対してデータ等を記録する。記憶部２５は、例えば、ハードディスクドライブ等からなり、オペレーティングシステム（Ｏ／Ｓ）、及びＷｅｂブラウザプログラム等を記憶する。
【００５７】
システム制御部２７は、ＣＰＵ２７ａ，ＲＯＭ２７ｂ，及びＲＡＭ２７ｃ等により構成されている。そして、コンピュータとしてのシステム制御部２７は、Ｗｅｂブラウザプログラムを実行することによりＷｅｂブラウザを起動し、ユーザによる操作部２１の操作（以下、「ユーザ操作」という）に応じて各種処理を行うようになっている。例えば、システム制御部２７は、情報提供サーバＳＡへページリクエストを行い、情報提供サーバＳＡから、コンテンツ情報を表示するためのＷｅｂページの構造化文書ファイル等を受信すると、このＷｅｂページをディスプレイ上に表れたウインドウ画面（表示画面）に表示する。なお、このウインドウ画面は、Ｗｅｂブラウザのアクティブな表示領域である。
【００５８】
そして、システム制御部２７は、本発明における制御手段として機能することにより、ユーザ端末Ｔｎのウインドウ画面に注目コンテンツ情報が表示される場合に、当該注目コンテンツ情報を表示領域外に遷移させようとするユーザ操作に応じて、当該注目コンテンツ情報の複製である複製コンテンツ情報を、当該ウインドウ画面に表示させる複製コンテンツ情報表示処理を行う。なお、この複製コンテンツ情報表示処理において、システム制御部２７は、本発明における注目コンテンツ情報特定手段、ユーザ操作検知手段、表示位置特定手段、距離情報取得手段、及び時間情報取得手段等としても機能する。
【００５９】
また、複製コンテンツ情報表示処理の全部又は一部は、例えば、ユーザ端末Ｔｎへ送信されるＷｅｂページを構成する構造化文書に記述されるスクリプト（例えば、JavaScript（登録商標）)により規定される。このスクリプトは、本発明における、コンピュータ読み取り可能な情報処理プログラムの一例であり、情報提供サーバＳＡにより上記ＨＴＭＬ文書内に記述される。なお、本発明の情報処理プログラムは、例えば、所定のサーバ等からネットワークＮＷを介して配信されるようにしても良いし、ＣＤ（Compact Disc）、ＤＶＤ（Digital Versatile Disc）等の記録媒体に記録されて提供されるようにしても良い。そして、本実施形態では、上記スクリプトがシステム制御部２７のＷｅｂブラウザにより解釈されることで上記複製コンテンツ情報表示処理の全部又は一部が実行される。
【００６０】
ところで、上記「注目コンテンツ情報を表示領域外に遷移させようとするユーザ操作」とは、注目コンテンツ情報をウインドウ画面（表示領域）外へ追い出そうとする（つまり、フレームアウトさせようとする）ユーザ操作を意味する。このようなユーザ操作の例としては、ウインドウ画面に表示されたコンテンツ情報を含む表示内容をスクロールさせるスクロール操作が挙げられる。例えば、ウインドウ画面にＷｅｂページの一部表示領域が収まりきれない場合、スクロール操作に応じて、ウインドウ画面に表示された表示内容が水平方向（横方向）、垂直方向（縦方向）、又は斜め方向にスクロール（移動）される。このスクロール操作により、注目コンテンツ情報のウインドウ画面における表示位置（ウインドウ画面における座標）を変位させることができる。スクロール操作の具体例としては、ユーザがマウスのホイール（左右ボタンの間にあるボタン）を回転させること、ユーザがウインドウ画面近傍に表示されたスクロールバーをマウスのドラッグ機能により移動させること、ユーザがキーボードの上、下、左、又は右キーを押下すること、ユーザがマウス等のポインティングデバイスを利用してウインドウ画面をドラッグして表示内容を任意の方向に移動すること、及びユーザがタッチパネル上をフリック（例えば、指で軽く払う）すること、などが挙げられる。
【００６１】
また、上記「注目コンテンツ情報を表示領域外に遷移させようとするユーザ操作」の別としては、ソート操作、及びページ遷移操作（画面遷移操作）が挙げられる。ここで、ページ遷移操作は、ウインドウ画面に表示されたコンテンツ情報を含む表示内容のページを他の表示内容を含むページに遷移させる操作である。ページ遷移操作の具体例としては、ユーザがウインドウ画面に表示されたボタン等（例えば、「次の１０件」というリンクが張られた部分）をマウスによりクリックすることが挙げられる。なお、ウインドウ画面に表示されたコンテンツ情報を含む表示内容のページを他の表示内容を含むページにスライドさせながら遷移させるスライド操作も、ページ遷移操作の一例である。スライド操作の具体例としては、ユーザがタッチパネル上をフリックすることが挙げられる。また、ソート操作は、ウインドウ画面に一覧表示された複数のコンテンツ情報の並び順を変更させる（例えば、「新着順」から「価格が安い順」に変える等）操作である。ソート操作の具体例としては、ユーザがウインドウ画面に表示されたボタン等（例えば、「価格が安い」というリンクが張られた部分）をマウスによりクリックすることが挙げられる。
【００６２】
［２．複製コンテンツ情報表示処理］
次に、本実施形態に係る複製コンテンツ情報表示処理について、実施例１から実施例３に分けて説明する。
【００６３】
（実施例１）
先ず、実施例１における複製コンテンツ情報表示処理について、図５〜図７等を用いて説明する。実施例１では、スクロール操作に応じて、複製コンテンツ情報が表示される処理について説明する。図５は、実施例１における複製コンテンツ情報表示処理を示すフローチャートである。図６及び図７は、実施例１におけるＷｅｂページの表示遷移例を示す図である。図６及び図７に示すＷｅｂページ上には複数のコンテンツ情報５１〜５７の一覧（リスト）が表示される。なお、図５に示す処理では、説明の便宜上、特に、スクロール操作に関係する処理を示しており、スクロール操作以外のユーザ操作に関係する処理については図示を省略している。
【００６４】
図５に示す処理は、ユーザ端末Ｔ１が、情報提供サーバＳＡからコンテンツ情報を表示するためのＷｅｂページの構造化文書ファイル等を受信し、例えば、図６（Ａ）に示すように、ウインドウ画面にＷｅｂページが表示された場合に開始される。なお、複製コンテンツ情報表示処理は、Ｗｅｂページの構造化文書ファイルに記述されたスクリプトにしたがって行われる。
【００６５】
図５に示すステップＳ１では、システム制御部２７は、注目コンテンツ情報がウインドウ画面に表示されているか否かを判定する。この判定は、例えば、ウインドウ画面に表示されているコンテンツ情報を規定するｄｉｖタグで規定されたｉｄが、注目コンテンツ情報の出品ＩＤの番号体系を持つかどうかを判断することにより行われる。或いは、コンテンツ情報を規定するｄｉｖタグに、注目コンテンツ情報であることを特徴付ける値が規定されているかどうかを判断することにより行われる。そして、システム制御部２７は、注目コンテンツ情報がウインドウ画面に表示されている（例えば、ウインドウ画面に表示されている複数のコンテンツ情報の中に、注目コンテンツ情報が含まれる）と判定した場合には（ステップＳ１：ＹＥＳ）、当該注目コンテンツ情報を特定（例えば、ｄｉｖタグで規定される当該注目コンテンツ情報（<div>と</div>で囲まれるデータ）を特定）し（ステップＳ２）、ステップＳ３に進む。図６（Ａ）に示す例では、コンテンツ情報５５が注目コンテンツ情報に該当する。一方、システム制御部２７は、注目コンテンツ情報がウインドウ画面に表示されていないと判定した場合には（ステップＳ１：ＮＯ）、ステップＳ１０に進む。
【００６６】
ステップＳ３では、システム制御部２７は、ウインドウ画面に表示されている注目コンテンツ情報を含む表示内容をスクロールさせるスクロール操作を検知したか否かを判定する。例えば、操作部２１からスクロール操作に応じた操作信号の入力があった時に、スクロール操作が検知される。なお、注目コンテンツ情報の特定からスクロール操作の検知までの間に、スクロール操作以外のユーザ操作があった場合には、当該ユーザ操作に応じた処理が割り込まれることになる。そして、システム制御部２７は、スクロール操作を検知した場合には（ステップＳ３：ＹＥＳ）、上記特定された注目コンテンツ情報の複製（コピー）である複製コンテンツ情報を生成する（ステップＳ４）。つまり、スクロール操作が検知されたタイミングで、上記特定された注目コンテンツ情報の複製コンテンツ情報が生成される。例えば、ｄｉｖタグで規定される当該注目コンテンツ情報（<div>と</div>で囲まれるデータ）が、当該Ｗｅｂページを構成する構造化文書から複製コンテンツ情報として複製されることにより生成される。なお、複製コンテンツ情報の生成は、上記ステップＳ２とステップＳ３の間で行われるように構成、つまり、スクロール操作の検知前に行われるように構成してもよい。
【００６７】
次いで、システム制御部２７は、ウインドウ画面に表示されている注目コンテンツ情報の当該ウインドウ画面における表示位置を特定する（ステップＳ５）。つまり、スクロール操作の開始時における注目コンテンツ情報の上記表示位置が特定される。この表示位置は、注目コンテンツ情報が配置されるレイヤ（以下、「第１のレイヤという」）における位置である。また、この表示位置は、例えばウインドウ画面の左上端を原点とする注目コンテンツ情報の表示領域上の座標（例えば、当該表示領域の左上端又は中心の座標(x,y)、或いは当該表示領域の４端の座標(x,y)：x,yはピクセル(px)）で表される。
【００６８】
なお、スクロール操作の開始時における注目コンテンツ情報の上記表示位置の特定は、上記ステップＳ２とステップＳ３の間で行われるように構成、つまり、スクロール操作が検知される前に行われるように構成してもよい。
【００６９】
次いで、システム制御部２７は、上記スクロール操作に応じて、上記ステップＳ５で生成された複製コンテンツ情報をウインドウ画面に表示させる（ステップＳ６）。つまり、スクロール操作が検知されたタイミングで、上記特定された注目コンテンツ情報の複製コンテンツ情報が表示される。なお、複製コンテンツ情報の表示をフェードインする（複製コンテンツ情報が徐々に現れてくる）ように構成してもよい。なお、ウインドウ画面に複数の注目コンテンツ情報が表示されていれば、夫々の複製コンテンツ情報が生成され、夫々の複製コンテンツ情報がウインドウ画面に表示されることになる。そして、システム制御部２７は、上記スクロール操作に応じて、上記注目コンテンツ情報を含む表示内容をスクロールさせるスクロール処理を行う（ステップＳ７）。なお、上記表示内容のスクロールは、スクロール操作の開始からスクロール操作の完了まで行われる。
【００７０】
ここで、上記ステップＳ６における複製コンテンツ情報の表示方法の例としては、（i）複製コンテンツ情報を基となった注目コンテンツ情報が表示されていた表示位置に固定表示する方法、（ii）複製コンテンツ情報を移動表示する方法、（iii）複製コンテンツ情報を予め定められた表示位置（任意の表示位置）に固定表示する方法、が挙げられる。以下に、上記（i）〜（iii）の各表示方法について夫々説明する。
【００７１】
（i）の表示方法の場合
この場合、上記ステップＳ４で生成された複製コンテンツ情報は、注目コンテンツ情報が配置される第１のレイヤ（例えば、Ｚインデックス値（レイヤのＺ軸上の順序）＝０）とは異なる（例えば、第１のレイヤと重なる）第２のレイヤ（例えば、Ｚインデックス値が第１のレイヤより大きいレイヤ（前面のレイヤ））に配置されることになる。そして、システム制御部２７は、ウインドウ画面において、上記ステップＳ５で特定された表示位置（注目コンテンツ情報の第１のレイヤにおける表示位置）と同じ表示位置であって第２のレイヤにおける表示位置に複製コンテンツ情報を固定配置して表示させる。例えば、複製コンテンツ情報（<div>と</div>で囲まれるデータ）のスタイル（style）部において、上記Ｚインデックス値（１以上）と上記ステップＳ５で特定された表示位置が設定される。なお、設定される表示位置は、例えば、ウインドウ画面の左上端を原点とする座標(x,y)で表される。そして、Ｚインデックス値及び表示位置が設定された複製コンテンツ情報（<div>と</div>で囲まれるデータ）が、上記Ｗｅｂページを構成する構造化文書内に記述されることにより当該複製コンテンツ情報がウインドウ画面に表示される。一例として、「<div id="x0002" style="position:absolute; left:100px; top:100px; z-index:2;>〜（複製コンテンツ情報）〜 </div>」のように構造化文書内に記述される。もちろん、スタイル部は、構造化文書からリンクされるＣＣＳファイルに記述されるように構成してもよい。
【００７２】
また、複製コンテンツ情報がユーザにより視認可能で、且つ当該複製コンテンツ情報の表示領域からその背景が視認可能な透明度（例えば、半透明）で配置されることが、より効果的である。これは、ユーザが背景にあるコンテンツ情報を視認できるからである。ここで、透明度は、例えばopacity=０〜１００の値で表され、“０”に近づくほど透明に近づく（つまり、透明度が高くなる）一方、“１００”に近づくほど不透明に近づく（つまり、透明度が低くなる）ことになる。例えば、複製コンテンツ情報を規定する構造化文書内のスタイル（style）部において、「filter:Alpha(opacity=50)」が記述される。ただし、複製コンテンツ情報の表示領域からその背景がユーザから視認不能な（つまり、ユーザから視認できない）透明度（例えば、不透明（opacity=100））で配置されても一定の効果を上げることができる。なお、透明度は透過率ともいう。
【００７３】
以上の処理により、図６（Ｂ）に示すように、ウインドウ画面の第１のレイヤにおける注目コンテンツ情報５５を含む表示内容（背景）がスクロールしている間、この注目コンテンツ情報５５の残像として複製コンテンツ情報６０が当該注目コンテンツ情報５５のスクロール開始時における表示位置に固定されて表示されることになる。これにより、複製コンテンツ情報を注目コンテンツ情報の残像として効果的に目立たせ、注目コンテンツ情報へのユーザの注意を持続させ易くすることができる。
【００７４】
なお、複製コンテンツ情報の生成、及び注目コンテンツ情報の表示位置の特定が、上記ステップＳ２とステップＳ３の間で行われる構成の場合、システム制御部２７は、生成された複製コンテンツ情報の透明度を最高（つまり、完全透明（opacity=0））に設定して、上記第２のレイヤにおける表示位置に配置させておき、スクロール操作が検知されたタイミングで、ステップＳ６において、当該複製コンテンツ情報の透明度を、当該複製コンテンツ情報の表示領域からその背景が視認可能な透明度に設定するように構成してもよい。
【００７５】
（ii）の表示方法の場合
この場合も、（i）の表示方法の場合と同様、実施例上記ステップＳ４で生成された複製コンテンツ情報は、注目コンテンツ情報が配置される第１のレイヤとは異なる第２のレイヤに配置されることになる。そして、システム制御部２７は、ウインドウ画面の第２レイヤにおいて複製コンテンツ情報を移動させながら表示させる。例えば、上記Ｗｅｂページを構成する構造化文書内でＭＡＲＱＵＥＥタグを用いることにより、第２レイヤにおける複製コンテンツ情報のスクロールを規定することができる。第２レイヤにおける複製コンテンツ情報のスクロールは、第１のレイヤにおける注目コンテンツ情報を含む表示内容のスクロールとは独立したスクロールとなる。これにより、例えば、図７（Ａ）に示すように、ウインドウ画面の第１のレイヤにおける注目コンテンツ情報５５を含む表示内容がスクロールしている間、注目コンテンツ情報５５の複製コンテンツ情報６１が当該注目コンテンツ情報５５のスクロール開始時における表示位置を始点として、ウインドウ画面の左方向、右方向、上方向、又は下方向へスクロールされながら表示されることになる。これにより、複製コンテンツ情報をスクロールさせることで効果的に目立たせ、注目コンテンツ情報へのユーザの注意を持続させ易くすることができる。
【００７６】
なお、複製コンテンツ情報が予め定められた表示位置を始点として、ウインドウ画面の左方向、右方向、上方向、又は下方向へスクロールされながら表示されるように構成してもよい。この場合、上記ステップＳ５の処理は不要となる。ここで、スクロールの方向は、例えば、ＭＡＲＱＵＥＥタグにおいてdirection属性（”lef”, ”right”,” up”, ”down”)で規定される。また、スクロールの仕方は、例えば、ＭＡＲＱＵＥＥタグにおいてbehavior属性（”scroll”（ウインドウ画面の一方端から他方端への一方向のスクロールを繰り返す）, ”alternate” （ウインドウ画面の一方端と他方端との間の往復のスクロールを繰り返す）, ”slide”（ウインドウ画面の端に到達するとスクロールを停止)）で規定される。また、スクロールの速度は、例えば、ＭＡＲＱＵＥＥタグにおいてscrolldelay属性（再描画までの時間を規定）やscrollamount属性（再描画までの距離を規定）等で規定される。
【００７７】
また、上述したスクロールのように複製コンテンツ情報を直線的に移動表示させる以外にも、例えば複製コンテンツ情報を変則的に移動表示させるように構成してもよい。複製コンテンツ情報を変則的に移動表示させる例としては、ウインドウ画面内で回転表示させること、ウインドウ画面内で弧を描くように移動表示させること、ウインドウ画面内でジグザクに移動表示させたりすることなどが挙げられる。これらの移動表示は、例えば、Ｗｅｂページを構成する構造化文書に記述されるスクリプトにより規定することができる。
【００７８】
また、別の例として、システム制御部２７は、第２のレイヤにおいて複製コンテンツ情報を、第１のレイヤにおける注目コンテンツ情報を含む表示内容のスクロールの速度より遅い速度で、且つ第１のレイヤにおける注目コンテンツ情報を含む表示内容のスクロールの方向と同じ方向にスクロールさせながら表示させるように構成してもよい。これにより、スクロールしている注目コンテンツ情報を追いかけるように当該注目コンテンツ情報の複製コンテンツ情報をスクロール（注目コンテンツ情報を追い越さないでスクロール）させることができ、その結果、複製コンテンツ情報を、より効果的に目立たせ、注目コンテンツ情報への注意を持続させ易くすることができる。なお、この場合、システム制御部２７は、上記スクロール操作に応じて行われる第１のレイヤにおけるスクロールの方向を示す方向情報を取得する。ここで、スクロールの方向は、例えば、スクロール操作の開始時における注目コンテンツ情報の表示位置と、スクロールにより変位した注目コンテンツ情報の表示位置とから特定することができる。更に、システム制御部２７は、上記スクロール操作に応じて行われる第１のレイヤにおけるスクロールの速度を示す速度情報を取得する。ここで、スクロールの速度は、例えば、スクロールにより変位する注目コンテンツ情報の表示位置の移動量を、その移動に要した時間（スクロールの継続時間）で除することにより算出することができる。なお、上記「移動量」は、例えば、ウインドウ画面に表示された注目コンテンツ情報の表示領域上の任意のピクセル（例えば、当該表示領域の左上端又は中心）がウインドウ画面の左上端を原点とする第一の座標（x1,y1）から第二の座標（x2,y2）に移動した場合における、第一の座標と第二の座標間の距離に相当する。また、スクロールにより複製コンテンツ情報がウインドウ画面の一方端に到達すると、複製コンテンツ情報のスクロールを停止するか、または、複製コンテンツ情報をユーザから視認不能とさせる（つまり、ユーザから視認できないようさせる）ように構成してもよい。また、ウインドウ画面に、異なる複数の複製コンテンツ情報が表示される場合も考えられる。この場合、ある複製コンテンツ情報がウインドウ画面の一方端に到達すると、その位置で停止して表示され続け、次の複製コンテンツ情報がウインドウ画面の上記一方端に到達すると、双方の複製コンテンツ情報が並べられて表示されるように構成してもよい（このとき、双方の複製コンテンツ情報のサイズが縮小されてもよい）。
【００７９】
なお、（i）の表示方法の場合と同様、複製コンテンツ情報がユーザにより視認可能で、且つ当該複製コンテンツ情報の表示領域からその背景が視認可能な透明度で移動表示されることが、より効果的である。また、複製コンテンツ情報の生成が、上記ステップＳ２とステップＳ３の間で行われる構成の場合、（i）の表示方法の場合と同様、複製コンテンツ情報の透明度を最高に設定して、上記第２のレイヤにおける表示位置に配置させておき、スクロール操作が検知されたタイミングで、ステップＳ６において、当該複製コンテンツ情報の透明度を、当該複製コンテンツ情報の表示領域からその背景が視認可能な透明度に設定するように構成してもよい。
【００８０】
（iii）の表示方法の場合
この場合、システム制御部２７は、ウインドウ画面において、例えばＷｅｂページを構成する構造化文書に記述されるスクリプトにより、予め定められた表示位置６１に複製コンテンツ情報を固定配置して表示させる。これによっても、複製コンテンツ情報を目立たせ、注目コンテンツ情報へのユーザの注意を持続させ易くすることができる。なお、この場合、上記ステップＳ５の処理は不要となる。ここで、ウインドウ画面の表示領域全体がスクロールする構成の場合、複製コンテンツ情報は、上記と同様、注目コンテンツ情報が配置された第１のレイヤとは異なる第２のレイヤに配置される。一方、図７（Ｂ）に示されるように、ウインドウ画面の表示領域の一部がスクロールする構成の場合、複製コンテンツ情報６２は、当該スクロールする表示領域外の表示領域であって注目コンテンツ情報が配置される第１のレイヤの表示領域に表示されるように構成してもよい。ここで、スクロール対象となる表示領域の一部は、例えばインラインフレームとして、ＩＦＲＡＭＥタグを用いることにより規定することができる。
【００８１】
なお、複製コンテンツ情報が、注目コンテンツ情報が配置された第１のレイヤとは異なる第２のレイヤに配置される構成の場合、（i）の表示方法の場合と同様、複製コンテンツ情報がユーザにより視認可能で、且つ当該複製コンテンツ情報の表示領域からその背景が視認可能な透明度で移動表示されることが、より効果的である。また、複製コンテンツ情報の生成が、上記ステップＳ２とステップＳ３の間で行われる構成の場合、（i）の表示方法の場合と同様、複製コンテンツ情報の透明度を最高に設定して、上記第２のレイヤにおける表示位置に配置させておき、スクロール操作が検知されたタイミングで、ステップＳ６において、当該複製コンテンツ情報の透明度を、当該複製コンテンツ情報の表示領域からその背景が視認可能な透明度に設定するように構成してもよい。
【００８２】
次に、システム制御部２７は、上記スクロール操作が完了（言い換えれば、当該スクロール操作に応じたスクロールが停止）したか否かを判定する（ステップＳ８）。例えば、操作部２１からの、スクロール操作に応じた操作信号がシステム制御部２７に入力された後、当該操作信号の入力が所定時間（例えば、０．５秒）途絶えた時に、スクロール操作が完了したと判定される。そして、システム制御部２７は、スクロール操作が完了していないと判定した場合には（ステップＳ８：ＮＯ）、ステップＳ７に戻る。なお、上記（ii）の表示方法において、第２のレイヤにおいて複製コンテンツ情報を、第１のレイヤにおける注目コンテンツ情報を含む表示内容のスクロールの速度より遅い速度で、且つ当該スクローツの方向と同じ方向にスクロールさせる構成の場合、ステップＳ６に戻るように構成される。
【００８３】
一方、システム制御部２７は、スクロール操作が完了したと判定した場合には（ステップＳ８：ＹＥＳ）、上記ステップＳ６で表示された複製コンテンツ情報の表示をユーザから視認不能にさせる（ステップＳ９）。例えば、システム制御部２７は、複製コンテンツ情報を表示消去（複製コンテンツ情報（<div>と</div>で囲まれるデータ）を構造化文書から削除）するか、或いは、複製コンテンツ情報の透明度を最高に設定することにより、ユーザ視認不能にさせる。或いは、システム制御部２７は、複製コンテンツ情報に対して非表示設定を行うことで、ユーザから視認不能とするように構成してもよい。この非表示設定は、例えば、複製コンテンツ情報（<div>と</div>で囲まれるデータ）のスタイル（style）部において、visibilityプロパティを用いて設定（例えば、<div style= “visibility:hidden”・・・、と設定）することにより行われる（この場合、当該複製コンテンツの表示領域は空白となる）。或いは、この非表示設定は、例えば、displayプロパティを用いて設定（例えば、<div style= “display:none”・・・、と設定）することにより行われる（この場合、当該複製コンテンツの表示領域は空白とならず、この表示領域は、前後の複製コンテンツ情報の表示領域により詰められる）。
【００８４】
これにより、必要以上に複製コンテンツ情報の表示を継続することで、ユーザにとって目障りとなることを防止することができる。なお、上記ステップＳ９の処理で、複製コンテンツ情報の表示をフェードアウトする（複製コンテンツ情報が徐々に消えていく）ように構成してもよい。
【００８５】
なお、複製コンテンツ情報の表示をユーザ視認不能にさせるタイミングは、スクロール操作が完了したタイミングでなく、スクロール操作の完了から所定時間（例えば、３秒）経過したタイミングであってもよい。この場合、システム制御部２７は、スクロール操作の完了から所定時間経過したか否かを判定し、スクロール操作の完了から所定時間経過した場合に、複製コンテンツ情報の表示をユーザ視認不能にさせる。
【００８６】
或いは、複製コンテンツ情報の表示をユーザ視認不能にさせるタイミングは、スクロール操作に応じたスクロールの速度が所定速度以下になった（遅くなった）タイミングであってもよい。この場合、システム制御部２７は、上記スクロール操作に応じたスクロールの速度を示す速度情報を取得し、当該速度情報が示すスクロールの速度が所定速度以下になったか否かを判定し、当該スクロールの速度が所定速度以下になった場合に、複製コンテンツ情報の表示をユーザ視認不能にさせる。
【００８７】
そして、システム制御部２７は、ステップＳ９の処理後、ステップＳ１に戻り、新たな注目コンテンツ情報がウインドウ画面に表示されているか否かを判定する。つまり、この場合のステップＳ１では、スクロール操作が完了したタイミング、スクロール操作の完了から所定時間経過したタイミング、またはスクロール操作に応じたスクロールの速度が所定速度以下になったタイミングで、初めてウインドウ画面に表示された注目コンテンツ情報があるか否かが判定される。そして、システム制御部２７は、新たな注目コンテンツ情報がウインドウ画面に表示されていると判定した場合には（ステップＳ１：ＹＥＳ）、上記ステップＳ２に進んで当該新たな注目コンテンツ情報を特定し、上記と同様、ステップＳ３以降の処理を行う。つまり、システム制御部２７は、ユーザによる新たなスクロール操作に応じて、新たな注目コンテンツ情報の複製である複製コンテンツ情報をウインドウ画面に表示させる。
【００８８】
一方、ステップＳ１０では、システム制御部２７は、ウインドウ画面に表示されている表示内容をスクロールさせるスクロール操作を検知したか否かを判定する。なお、スクロール操作の検知までの間に、スクロール操作以外のユーザ操作があった場合には、当該ユーザ操作に応じた処理が割り込まれることになる。そして、システム制御部２７は、スクロール操作を検知した場合には（ステップＳ１０：ＹＥＳ）、当該スクロール操作に応じて、当該表示内容をスクロールさせるスクロール処理を行う（ステップＳ１１）。次いで、システム制御部２７は、スクロール操作が完了したか否かを判定する（ステップＳ１２）。そして、システム制御部２７は、スクロール操作が完了していないと判定した場合には（ステップＳ１２：ＮＯ）、ステップＳ１１に戻る。一方、システム制御部２７は、スクロールが完了したと判定した場合（ステップＳ１２：ＹＥＳ）、ステップＳ１に戻り、上記と同様の処理を行う。なお、システム制御部２７は、スクロール操作の完了から所定時間経過したか否かを判定し、スクロール操作の完了から所定時間経過した場合に、ステップＳ１に戻るように構成してもよい。或いは、システム制御部２７は、上記スクロール操作に応じたスクロールの速度を示す速度情報を取得し、当該速度情報が示すスクロールの速度が所定速度以下になったか否かを判定し、当該スクロールの速度が所定速度以下になった場合に、ステップＳ１に戻るように構成してもよい。
【００８９】
以上説明したように、上記実施例１によれば、ユーザ端末Ｔ１のウインドウ画面に注目コンテンツ情報が表示される場合に、スクロール操作に応じて、当該注目コンテンツ情報の複製である複製コンテンツ情報がウインドウ画面に表示されるように構成したので、当該スクロール操作に応じたスクロールにより当該注目コンテンツ情報がウインドウ画面から追い出されるような場合であっても、注目コンテンツ情報の表示寿命を延ばし、当該注目コンテンツ情報へのユーザの注意を持続させ易くすることができ、更に、ユーザに対して注目コンテンツ情報を注目させ易くすることができる。特に、例えば何百件という多くのコンテンツ情報の一覧では、特定のコンテンツ情報がスクロールにより、一旦、フレームアウトしてしまうと、スクロール方向を反転するまで当該特定のコンテンツ情報は再表示されないため、ユーザに注目させることは困難となってしまうが、上記構成によれば、当該特定のコンテンツ情報に対して注目設定をしておけば、そのようなコンテンツ情報を容易に注目させることができる。
【００９０】
（実施例１の変形形態１）
上記実施例１の変形形態１として、上記複製コンテンツ情報表示処理は、情報提供サーバＳＡのシステム制御部４が主導して実行するように構成してもよい。この場合、情報提供サーバＳＡのシステム制御部４が本発明の制御手段、注目コンテンツ情報特定手段、ユーザ操作検知手段、表示位置特定手段、距離情報取得手段、及び時間情報取得手段等として機能することになる。この場合、上記複製コンテンツ情報表示処理は、サーバプログラムで規定される。
【００９１】
以下に、図５に示す複製コンテンツ情報表示処理がシステム制御部４により行われる場合について説明する。なお、図５に示す複製コンテンツ情報表示処理において、システム制御部２７により行われる処理と同様の部分については詳しい説明を省略する。この場合、図５に示す処理は、例えば、情報提供サーバＳＡからユーザ端末Ｔ１へ、コンテンツ情報を表示するためのＷｅｂページの構造化文書ファイル等が送信された場合に開始される。そして、図５に示すステップＳ１では、システム制御部４は、例えば、ユーザ端末Ｔ１からウインドウ画面に表示されているＷｅｂページの表示範囲（例えばＷｅｂページ上における座標）を示す情報を取得することにより、注目コンテンツ情報がウインドウ画面に表示されているか否かを判定する。
【００９２】
そして、システム制御部４は、注目コンテンツ情報がウインドウ画面に表示されていると判定した場合には（ステップＳ１：ＹＥＳ）、当該注目コンテンツ情報を特定する（ステップＳ２）。次いで、システム制御部４は、ユーザ端末Ｔ１からスクロール操作があったことを示す情報を取得することにより、スクロール操作を検知し（ステップＳ３：ＹＥＳ）、上記特定された注目コンテンツ情報の複製である複製コンテンツ情報を生成する（ステップＳ４）。例えば、システム制御部２７が行う場合と同様、ｄｉｖタグで規定される当該注目コンテンツ情報が、当該Ｗｅｂページを構成する構造化文書から複製コンテンツ情報として複製されることにより生成される。また、このとき、上述した（i）〜（iii）の表示方法で複製コンテンツ情報を表示させるためにスタイル部等における各設定が行われる。なお、複製コンテンツ情報は、事前（図５に示す処理の前）に生成して記憶しておくようにしても構わない。
【００９３】
次いで、システム制御部４は、ユーザ端末Ｔ１から取得された、Ｗｅｂページの表示範囲を示す情報に基づき、ウインドウ画面に表示されている注目コンテンツ情報の当該ウインドウ画面における表示位置を特定する（ステップＳ５）。次いで、システム制御部４は、上記ステップＳ４で生成された複製コンテンツ情報（<div>と</div>で囲まれるデータ）、及び当該複製コンテンツ情報を表示させるために必要な情報（上記ステップＳ５で特定された表示位置を示す情報を含む）等をユーザ端末Ｔ１へ送信することにより、当該複製コンテンツ情報をウインドウ画面に表示させる（Ｗｅｂブラウザに表示させる）（ステップＳ６）。この処理は、例えばAjaxを用いることによりＷｅｂページ全体をリフレッシュ（ユーザ端末Ｔ１が情報提供サーバＳＡからリロード）することなく行われる。こうして、複製コンテンツ情報は、ユーザ端末Ｔ１における注目コンテンツ情報を含む表示内容のスクロール中に、上述した（i）〜（iii）の表示方法の何れかの方法で表示されることになる。なお、スクロールの速度は上記Ｗｅｂページの表示範囲を示す情報等に基づきシステム制御部４により算出されるように構成してもよいし、当該スクロールの速度を示す速度情報がユーザ端末Ｔ１からシステム制御部４により取得されるように構成してもよい。そして、ステップＳ７のスクロール処理（ステップＳ１０においても同様）では、システム制御部４は、上記注目コンテンツ情報を含む表示内容がスクロールしている間、ユーザ端末Ｔ１から、ウインドウ画面に表示されているＷｅｂページの表示範囲を示す情報を取得する。
【００９４】
次に、システム制御部４は、ユーザ端末Ｔ１からスクロール操作が完了したことを示す情報を取得することによりスクロール操作が完了したと判定した場合には（ステップＳ８：ＹＥＳ）、複製コンテンツ情報の表示をユーザ視認不能にさせる（ステップＳ９）。例えば、システム制御部４は、複製コンテンツ情報を表示消去するか、或いは、複製コンテンツ情報の透明度を最高に設定する命令を示す情報をユーザ端末Ｔ１へ送信することによりユーザ視認不能にさせる。このとき、システム制御部４は、複製コンテンツ情報の表示をユーザ視認不能にさせるタイミングを示す情報をユーザ端末Ｔ１へ送信することにより、上述したように、スクロール操作の完了から所定時間経過したタイミング、又はスクロールの速度が所定速度以下になったタイミングでユーザ視認不能にさせるように構成してもよい。そして、システム制御部４は、ステップＳ９の処理後、ステップＳ１に戻り、上記Ｗｅｂページの表示範囲を示す情報に基づき、新たな注目コンテンツ情報がウインドウ画面に表示されているか否かを判定する。以降の処理は、基本的に上記処理と同様であるので説明を省略する。
【００９５】
（実施例１の変形形態２）
上記実施例１の変形形態２として、第１のレイヤに配置された注目コンテンツ情報を含む表示内容のスクロールの速度に応じて、当該注目コンテンツ情報の複製コンテンツ情報の表示態様を変化させるように構成してもよい。ここで、複製コンテンツ情報の表示態様の例としては、透明度、表示サイズ等が挙げられる。
【００９６】
ユーザ端末Ｔ１のシステム制御部２７が、スクロールの速度に応じて複製コンテンツ情報の透明度を変化させる構成の場合、例えば、速度と透明度との対応関係を示す情報（例えばテーブル又は計算式による）が、Ｗｅｂページを構成する構造化文書に記述されるスクリプトに規定される。一方、情報提供サーバＳＡのシステム制御部４が、スクロールの速度に応じて複製コンテンツ情報の透明度を変化させる構成の場合、例えば、速度と透明度との対応関係を示す情報が記憶部２に記憶される。
【００９７】
そして、システム制御部２７又はシステム制御部４は、当該スクロールの速度を示す速度情報を取得し、上記対応関係を示す情報を参照することにより、当該取得された速度情報が示す速度が遅いほど、複製コンテンツの透明度を低く設定する。第１のレイヤにおけるスクロールの速度が遅いほど、第１のレイヤにおける表示内容（背景）と第２のレイヤにおける複製コンテンツ情報が同化しユーザから複製コンテンツ情報が見難くなる。そのため、第１のレイヤにおけるスクロールの速度が遅いほど、複製コンテンツの透明度を低く設定するように構成すれば、第２のレイヤにおける複製コンテンツ情報を濃く表示して目立たせることができる（背景のスクルール速度が速ければ複製コンテンツ情報の透明度が高く（薄く）ても差支えない）。なお、システム制御部２７又はシステム制御部４は、上記スクロールの速度を示す速度情報を所定時間間隔で複数回取得し、当該速度情報が取得される毎に、スクロールの速度に応じて複製コンテンツ情報の透明度を変化させるように構成してもよい。
【００９８】
一方、上記とは異なる例として、上記取得された速度情報が示す速度が速いほど、複製コンテンツの透明度を低く設定するように構成してもよい。これは、スクロールの速度が速いほど、注目コンテンツ情報が早くフレームアウトしてしまうため、その分、当該注目コンテンツ情報の複製コンテンツ情報を濃く表示して目立たせるためである。
【００９９】
また、複製コンテンツ情報の表示態様として透明度の代わりに表示色を用いることにより、第１のレイヤにおけるスクロールの速度に応じて、複製コンテンツの表示色を変化させるように構成してもよい。
【０１００】
また、ユーザ端末Ｔ１のシステム制御部２７が、スクロールの速度に応じて複製コンテンツ情報の表示サイズ（つまり、複製コンテンツ情報の表示領域の大きさ）を変化させる構成の場合、例えば、速度と表示サイズ（例えば、幅と高さのピクセルで指定）との対応関係を示す情報（例えばテーブル又は計算式による）が、Ｗｅｂページを構成する構造化文書に記述されるスクリプトに規定される。一方、情報提供サーバＳＡのシステム制御部４が、スクロールの速度に応じて複製コンテンツ情報の表示サイズを変化させる構成の場合、例えば、速度と表示サイズとの対応関係を示す情報が記憶部２に記憶される。
【０１０１】
そして、システム制御部２７又はシステム制御部４は、当該スクロールの速度を示す速度情報を取得し、上記対応関係を示す情報を参照することにより、当該取得された速度情報が示す速度が遅いほど、複製コンテンツの表示サイズを大きく設定する。第１のレイヤにおけるスクロールの速度が遅いほど、複製コンテンツの表示サイズを大きく設定するように構成すれば、第２のレイヤにおける複製コンテンツ情報を大きく表示して目立たせることができる。なお、システム制御部２７は、上記スクロールの速度を示す速度情報を所定時間間隔で複数回取得し、当該速度情報が取得される毎に、スクロールの速度に応じて複製コンテンツ情報の表示サイズを変化させるように構成してもよい。
【０１０２】
（実施例１の変形形態３）
上記実施例１の変形形態３として、第１のレイヤに配置された注目コンテンツ情報を含む表示内容のスクロールした距離に応じて、当該注目コンテンツ情報の複製コンテンツ情報の表示態様を変化させるように構成してもよい。この構成の場合も、複製コンテンツ情報の表示態様の例としては、透明度、表示サイズ等が挙げられる。
【０１０３】
ユーザ端末Ｔ１のシステム制御部２７が、スクロールした距離に応じて複製コンテンツ情報の透明度を変化させる構成の場合、例えば、距離（例えば、ピクセル数）と透明度との対応関係を示す情報（例えばテーブル又は計算式による）が、Ｗｅｂページを構成する構造化文書に記述されるスクリプトに規定される。一方、情報提供サーバＳＡのシステム制御部４が、スクロールした距離に応じて複製コンテンツ情報の透明度を変化させる構成の場合、例えば、距離と透明度との対応関係を示す情報が記憶部２に記憶される。
【０１０４】
そして、システム制御部２７又はシステム制御部４は、スクロール操作の開始時における注目コンテンツ情報の表示位置から、スクロールにより変位した注目コンテンツ情報の表示位置までの距離を示す距離情報を取得する。なお、システム制御部４が、スクロールした距離に応じて複製コンテンツ情報の透明度を変化させる構成の場合、スクロールにより変位した注目コンテンツ情報の表示位置までの距離は上記Ｗｅｂページの表示範囲を示す情報等に基づきシステム制御部４により算出されるように構成してもよいし、当該距離を示す距離情報がユーザ端末Ｔ１からシステム制御部４により取得されるように構成してもよい。ここで、注目コンテンツ情報の表示位置は、例えば、ウインドウ画面の左上端を原点とする注目コンテンツ情報の表示領域上の座標（例えば、当該表示領域の左上端又は中心の座標(x1,y1)）で表される。そして、システム制御部２７又はシステム制御部４は、上記対応関係を示す情報を参照することにより、当該取得された距離情報が示す距離が長いほど、複製コンテンツの透明度を高く設定する。これにより、例えば注目コンテンツ情報が元の表示位置から離れる（遠くなる）ほど、第２のレイヤにおける複製コンテンツ情報を薄く表示して目立たなくすることができ、複製コンテンツ情報がユーザにとって目障りとなることを防止することができる。また、複製コンテンツ情報の表示態様として透明度の代わりに表示色を用いることにより、スクロールした距離が長いほど、複製コンテンツの表示色を薄く設定するように構成してもよい。
【０１０５】
また、ユーザ端末Ｔ１のシステム制御部２７が、スクロールした距離に応じて複製コンテンツ情報の表示サイズを変化させる構成の場合、例えば、距離と表示サイズとの対応関係を示す情報（例えばテーブル又は計算式による）が、Ｗｅｂページを構成する構造化文書に記述されるスクリプトに規定される。一方、情報提供サーバＳＡのシステム制御部４が、スクロールした距離に応じて複製コンテンツ情報の表示サイズを変化させる構成の場合、例えば、距離と表示サイズとの対応関係を示す情報が記憶部２に記憶される。
【０１０６】
そして、システム制御部２７又はシステム制御部４は、スクロール操作の開始時における注目コンテンツ情報の表示位置から、スクロールにより変位した注目コンテンツ情報の表示位置までの距離を示す距離情報を取得し、上記対応関係を示す情報を参照することにより、当該取得された距離情報が示す距離が長いほど、複製コンテンツの表示サイズを小さく設定する。これにより、例えば注目コンテンツ情報が元の表示位置から離れる（遠くなる）ほど、第２のレイヤにおける複製コンテンツ情報の表示サイズを小さくすることで目立たなくすることができ、複製コンテンツ情報がユーザにとって目障りとなることを防止することができる。
【０１０７】
（実施例１の変形形態４）
上記実施例１の変形形態４として、スクロール操作の継続時間に応じて、当該注目コンテンツ情報の複製コンテンツ情報の表示態様を変化させるように構成してもよい。この構成の場合も、複製コンテンツ情報の表示態様の例としては、透明度、表示サイズ等が挙げられる。スクロール操作の継続時間は、例えば、スクロール操作に応じた操作信号が継続的に入力されている時間である。
【０１０８】
ユーザ端末Ｔ１のシステム制御部２７が、スクロール操作の継続時間に応じて複製コンテンツ情報の透明度を変化させる構成の場合、例えば、時間と透明度との対応関係を示す情報（例えばテーブル又は計算式による）が、Ｗｅｂページを構成する構造化文書に記述されるスクリプトに規定される。一方、情報提供サーバＳＡのシステム制御部４が、スクロール操作の継続時間に応じて複製コンテンツ情報の透明度を変化させる構成の場合、例えば、時間と透明度との対応関係を示す情報が記憶部２に記憶される。
【０１０９】
そして、システム制御部２７又はシステム制御部４は、スクロール操作の継続時間を示す時間情報を取得する。なお、システム制御部４が、スクロール操作の継続時間に応じて複製コンテンツ情報の透明度を変化させる構成の場合、スクロール操作の継続時間はユーザ端末Ｔ１からの情報等に基づきシステム制御部４により算出されるように構成してもよいし、当該継続時間を示す時間情報がユーザ端末Ｔ１からシステム制御部４により取得されるように構成してもよい。そして、システム制御部２７又はシステム制御部４は、上記対応関係を示す情報を参照することにより、当該取得された時間情報が示す継続時間が長いほど、複製コンテンツの透明度を高く設定する。これにより、スクロール操作の継続時間が長いほど、第２のレイヤにおける複製コンテンツ情報を薄く表示して目立たなくすることができ、複製コンテンツ情報がユーザにとって目障りとなることを防止することができる。また、複製コンテンツ情報の表示態様として透明度の代わりに表示色を用いることにより、スクロール操作の継続時間が長いほど、複製コンテンツの表示色を薄く設定するように構成してもよい。
【０１１０】
また、ユーザ端末Ｔ１のシステム制御部２７が、スクロール操作の継続時間に応じて複製コンテンツ情報の表示サイズを変化させる構成の場合、例えば、時間と表示サイズとの対応関係を示す情報（例えばテーブル又は計算式による）が、Ｗｅｂページを構成する構造化文書に記述されるスクリプトに規定される。一方、情報提供サーバＳＡのシステム制御部４が、スクロール操作の継続時間に応じて複製コンテンツ情報の表示サイズを変化させる構成の場合、例えば、時間と表示サイズとの対応関係を示す情報が記憶部２に記憶される。
【０１１１】
そして、システム制御部２７又はシステム制御部４は、スクロール操作の継続時間を示す時間情報を取得し、上記対応関係を示す情報を参照することにより、当該取得された時間情報が示す継続時間が長いほど、複製コンテンツの表示サイズを小さく設定する。これにより、スクロール操作の継続時間が長いほど、第２のレイヤにおける複製コンテンツ情報の表示サイズを小さくすることで目立たなくすることができ、複製コンテンツ情報がユーザにとって目障りとなることを防止することができる。
【０１１２】
（実施例２）
次に、実施例２における複製コンテンツ情報表示処理について、図８〜図９等を用いて説明する。実施例２では、ソート操作に応じて、複製コンテンツ情報が表示される処理について説明する。図８は、実施例２における複製コンテンツ情報表示処理を示すフローチャートである。図９は、実施例２におけるＷｅｂページの表示遷移例を示す図である。なお、図８に示す処理では、説明の便宜上、特に、ソート操作に関係する処理を示しており、ソート操作以外のユーザ操作に関係する処理については図示を省略している。なお、図８に示す複製コンテンツ情報表示処理において、図５に示す複製コンテンツ情報表示処理と同様の部分については詳しい説明を省略する。
【０１１３】
図８に示す処理は、図５に示す処理と同様、ウインドウ画面にＷｅｂページが表示された場合に開始される。図８に示すステップＳ２１〜Ｓ２２の処理は、図５に示すステップＳ１〜Ｓ２の処理と同様である。
【０１１４】
ステップＳ２３では、システム制御部２７は、ウインドウ画面に表示されている複数のコンテンツ情報の一覧におけるコンテンツ情報の並び順をソートさせるソート操作を検知したか否かを判定する。例えば、操作部２１からソート操作に応じた操作信号の入力があった時に、ソート操作が検知される。ここで、ソート操作は、図６（Ａ）に示す例では、「価格が安い順」７１部分（価格が安いや、感想の件数が多いでもよい）をユーザがマウスでクリック又は指で接触することによりなされる。なお、注目コンテンツ情報の特定からソート操作の検知までの間に、ソート操作以外のユーザ操作があった場合には、当該ユーザ操作に応じた処理が割り込まれることになる。
【０１１５】
そして、システム制御部２７は、ソート操作を検知した場合には（ステップＳ２３：ＹＥＳ）、上記特定された注目コンテンツ情報の複製である複製コンテンツ情報を生成する（ステップＳ２４）。つまり、ソート操作が検知されたタイミングで、上記特定された注目コンテンツ情報の複製コンテンツ情報が生成される。なお、複製コンテンツ情報の生成は、上記ステップＳ２２とステップＳ２３の間で行われるように構成してもよい。
【０１１６】
図８に示すステップＳ２５の処理は、図５に示すステップＳ５の処理と同様である。なお、ソート操作の開始時における注目コンテンツ情報の上記表示位置の特定は、上記ステップＳ２２とステップＳ２３の間で行われるように構成してもよい。
【０１１７】
次いで、システム制御部２７は、上記ソート操作に応じて、上記ステップＳ２５で生成された複製コンテンツ情報をウインドウ画面に表示させる（ステップＳ２６）。そして、システム制御部２７は、上記ソート操作に応じて、ウインドウ画面に表示された複数のコンテンツ情報の並び順を変更させる（並び替える）ソート処理を行う（ステップＳ２７）。このソート処理では、例えばAjaxやFlashを用いることにより、Ｗｅｂページ全体がリフレッシュ（ユーザ端末Ｔ１が情報提供サーバＳＡからリロード）されることなく行われる（つまり、Ｗｅｂページのコンテンツ情報の一覧部分がリフレッシュされる）。なお、上記ステップＳ２４で生成された複製コンテンツ情報、及び上記ステップＳ２５で特定された表示位置を示す情報がユーザ端末Ｔ１のＲＡＭ２７ｃに記憶されるように構成すれば、Ｗｅｂページ全体がリフレッシュされる構成であってもよい。
【０１１８】
ここで、上記ステップＳ２６における複製コンテンツ情報の表示方法としては、上記実施例１と同様に（i）〜（iii）の各表示方法が適用できる。例えば、表示方法（i）によれば、図９（Ａ）に示すように、ソート処理中（つまり、コンテンツ情報の一覧部分がリフレッシュしている間）に、図６（Ａ）に示す注目コンテンツ情報５５の残像として複製コンテンツ情報６３が当該注目コンテンツ情報５５のソート開始時における表示位置に固定されて表示されることになる。
【０１１９】
次に、システム制御部２７は、ソート処理が完了したか否かを判定する（ステップＳ２８）。そして、システム制御部２７は、ソート処理が完了していないと判定した場合には（ステップＳ２８：ＮＯ）、ステップＳ２７に戻る。一方、システム制御部２７は、ソート処理が完了したと判定した場合には（ステップＳ２８：ＹＥＳ）、上記ステップＳ２６で表示された複製コンテンツ情報の表示をユーザから視認不能にさせる（ステップＳ２９）。こうして、図９（Ｂ）に示すように、ソートにより並び替えられた複数のコンテンツ情報の一覧が表示される一方、複製コンテンツ情報６３がユーザから視認不能となる。
【０１２０】
次に、システム制御部２７は、ソート処理の完了後、ステップＳ２１に戻り、新たな注目コンテンツ情報がウインドウ画面に表示されているか否かを判定する。そして、システム制御部２７は、新たな注目コンテンツ情報がウインドウ画面に表示されていると判定した場合には（ステップＳ２１：ＹＥＳ）、上記ステップＳ２２に進んで当該新たな注目コンテンツ情報を特定し、上記と同様、ステップＳ２３以降の処理を行う。つまり、システム制御部２７は、ユーザによる新たなソート操作に応じて、新たな注目コンテンツ情報の複製である複製コンテンツ情報をウインドウ画面に表示させる。
【０１２１】
なお、システム制御部２７は、ソート処理の完了から所定時間（例えば、５秒）経過したか否かを判定し、ソート処理の完了から所定時間経過した場合に、複製コンテンツ情報の表示をユーザ視認不能にさせるように構成してもよい。また、システム制御部２７は、ソート処理の完了から所定時間経過したした場合に、ステップＳ２１に戻り、新たな注目コンテンツ情報がウインドウ画面に表示されているか否かを判定するように構成してもよい。
【０１２２】
一方、ステップＳ３０では、システム制御部２７は、ソート操作を検知したか否かを判定し、ソート操作を検知した場合には（ステップＳ３０：ＹＥＳ）、当該ソート操作に応じて、ソート処理を行う（ステップＳ３１）。次いで、システム制御部２７は、ソート処理が完了したか否かを判定する（ステップＳ３２）。そして、システム制御部２７は、ソート処理が完了していないと判定した場合には（ステップＳ３２：ＮＯ）、ステップＳ３１に戻る。一方、システム制御部２７は、ソート処理が完了したと判定した場合（ステップＳ３２：ＹＥＳ）、ステップＳ２１に戻り、上記と同様の処理を行う。なお、システム制御部２７は、ソート処理の完了から所定時間経過したか否かを判定し、ソート処理の完了から所定時間経過した場合に、ステップＳ２１に戻るように構成してもよい。
【０１２３】
以上説明したように、上記実施例２によれば、ユーザ端末Ｔ１のウインドウ画面に注目コンテンツ情報が表示される場合に、ソート操作に応じて、当該注目コンテンツ情報の複製である複製コンテンツ情報がウインドウ画面に表示されるように構成したので、当該ソート操作に応じたコンテンツ情報の並び替えにより当該注目コンテンツ情報がウインドウ画面から追い出されるような場合であっても、注目コンテンツ情報の表示寿命を延ばし、当該注目コンテンツ情報へのユーザの注意を持続させ易くすることができ、更に、ユーザに対して注目コンテンツ情報を注目させ易くすることができる。特に、例えば何百件という多くのコンテンツ情報の一覧では、特定のコンテンツ情報がソートにより、一旦、フレームアウトしてしまうと、元の並び順に復帰させるまで当該特定のコンテンツ情報は再表示されないため、ユーザに注目させることは困難となってしまうが、上記構成によれば、当該特定のコンテンツ情報に対して注目設定をしておけば、そのようなコンテンツ情報を容易に注目させることができる。
【０１２４】
なお、当該実施例２においても、上記実施例１の変形形態１と同様、上記複製コンテンツ情報表示処理は、情報提供サーバＳＡのシステム制御部４が主導して実行するように構成してもよい。
【０１２５】
（実施例３）
次に、実施例３における複製コンテンツ情報表示処理について、図１０〜図１１等を用いて説明する。実施例３では、ページ遷移操作に応じて、複製コンテンツ情報が表示される処理について説明する。図１０は、実施例３における複製コンテンツ情報表示処理を示すフローチャートである。図１１は、実施例３におけるＷｅｂページの表示遷移例を示す図である。なお、図１０に示す処理では、説明の便宜上、特に、ページ遷移操作に関係する処理を示しており、ページ遷移操作以外のユーザ操作に関係する処理については図示を省略している。
【０１２６】
図１０に示す処理は、図５に示す処理と同様、ウインドウ画面にＷｅｂページが表示された場合に開始される。図１０に示すステップＳ４１〜Ｓ４２の処理は、図５に示すステップＳ１〜Ｓ２の処理と同様である。
【０１２７】
ステップＳ４３では、システム制御部２７は、ウインドウ画面に表示されたコンテンツ情報を含む表示内容のページを他の表示内容を含むページに遷移させるページ遷移操作を検知したか否かを判定する。例えば、操作部２１からページ遷移操作に応じた操作信号の入力があった時に、ページ遷移操作が検知される。ここで、ページ遷移操作は、図６（Ａ）に示す例では、「次の１００件」８１部分（ページ数を表す“２”部分でもよい）をユーザがマウスでクリック又は指で接触することによりなされる。なお、注目コンテンツ情報の特定からページ遷移操作の検知までの間に、ページ遷移操作以外のユーザ操作があった場合には、当該ユーザ操作に応じた処理が割り込まれることになる。
【０１２８】
そして、システム制御部２７は、ページ遷移操作を検知した場合には（ステップＳ４３：ＹＥＳ）、上記特定された注目コンテンツ情報の複製である複製コンテンツ情報を生成する（ステップＳ４４）。つまり、ページ遷移操作が検知されたタイミングで、上記特定された注目コンテンツ情報の複製コンテンツ情報が生成される。なお、複製コンテンツ情報の生成は、上記ステップＳ４２とステップＳ４３の間で行われるように構成してもよい。
【０１２９】
図１０に示すステップＳ４５の処理は、図５に示すステップＳ５の処理と同様である。なお、ページ遷移操作の開始時における注目コンテンツ情報の上記表示位置の特定は、上記ステップＳ４２とステップＳ４３の間で行われるように構成してもよい。
【０１３０】
次いで、システム制御部２７は、上記ページ遷移操作に応じて、上記ステップＳ２５で生成された複製コンテンツ情報をウインドウ画面に表示させる（ステップＳ４６）。そして、システム制御部２７は、上記ページ遷移操作に応じて、ウインドウ画面に表示された注目コンテンツ情報を含む表示内容のページを、例えば次のページに遷移（表示遷移）させるページ遷移処理を行う（ステップＳ４７）。ここで、ページ遷移処理では、例えばAjaxやFlashを用いることにより、Ｗｅｂページ全体がリフレッシュ（ユーザ端末Ｔ１が情報提供サーバＳＡからリロード）されることなく行われる（つまり、Ｗｅｂページのコンテンツ情報の一覧部分がリフレッシュされる）。なお、上記ステップＳ４４で生成された複製コンテンツ情報、及び上記ステップＳ４５で特定された表示位置を示す情報がユーザ端末Ｔ１のＲＡＭ２７ｃに記憶されるように構成すれば、Ｗｅｂページ全体がリフレッシュされる構成であってもよい。
【０１３１】
ここで、上記ステップＳ４６における複製コンテンツ情報の表示方法としては、上記実施例１と同様に（i）〜（iii）の各表示方法が適用できる。例えば、表示方法（i）によれば、図１１（Ａ）に示すように、ページ遷移処理中に、図６（Ａ）に示す注目コンテンツ情報５５の残像として複製コンテンツ情報６４が当該注目コンテンツ情報５５のページ遷移開始時における表示位置に固定されて表示されることになる。
【０１３２】
次に、システム制御部２７は、ページ遷移処理が完了したか否かを判定する（ステップＳ４８）。そして、システム制御部２７は、ページ遷移処理が完了していないと判定した場合には（ステップＳ４８：ＮＯ）、ステップＳ４７に戻る。一方、システム制御部２７は、ページ遷移処理が完了したと判定した場合には（ステップＳ４８：ＹＥＳ）、上記ステップＳ４６で表示された複製コンテンツ情報の表示をユーザから視認不能にさせる（ステップＳ４９）。こうして、図１１（Ｂ）に示すように、ページ遷移処理により遷移された次のページ上における複数のコンテンツ情報の一覧が表示される一方、複製コンテンツ情報６４がユーザから視認不能となる。そして、システム制御部２７は、ページ遷移処理の完了後、ステップＳ４１に戻り、新たな注目コンテンツ情報がウインドウ画面に表示されているか否かを判定する。そして、システム制御部２７は、新たな注目コンテンツ情報がウインドウ画面に表示されていると判定した場合には（ステップＳ４１：ＹＥＳ）、上記ステップＳ４２に進んで当該新たな注目コンテンツ情報を特定し、上記と同様、ステップＳ４３以降の処理を行う。つまり、システム制御部２７は、ユーザによる新たなページ遷移操作に応じてページ遷移処理を行い、続いて、新たな注目コンテンツ情報の複製である複製コンテンツ情報をウインドウ画面に表示させる。
【０１３３】
なお、システム制御部２７は、ページ遷移処理の完了から所定時間（例えば、５秒）経過したか否かを判定し、ページ遷移処理の完了から所定時間経過した場合に、複製コンテンツ情報の表示をユーザ視認不能にさせるように構成してもよい。また、システム制御部２７は、ページ遷移処理の完了から所定時間経過したした場合に、ステップＳ４１に戻り、新たな注目コンテンツ情報がウインドウ画面に表示されているか否かを判定するように構成してもよい。
【０１３４】
一方、ステップＳ５０では、システム制御部２７は、ページ遷移操作を検知したか否かを判定し、ページ遷移操作を検知した場合には（ステップＳ５０：ＹＥＳ）、当該ページ遷移操作に応じて、ページ遷移処理を行う（ステップＳ５１）。次いで、システム制御部２７は、ページ遷移処理が完了したか否かを判定する（ステップＳ５２）。そして、システム制御部２７は、ページ遷移処理が完了していないと判定した場合には（ステップＳ５２：ＮＯ）、ステップＳ５１に戻る。一方、システム制御部２７は、ページ遷移処理が完了したと判定した場合（ステップＳ５２：ＹＥＳ）、ステップＳ４１に戻り、上記と同様の処理を行う。なお、システム制御部２７は、ページ遷移処理の完了から所定時間経過したか否かを判定し、ページ遷移処理の完了から所定時間経過した場合に、ステップＳ４１に戻るように構成してもよい。
【０１３５】
以上説明したように、上記実施例３によれば、ユーザ端末Ｔ１のウインドウ画面に注目コンテンツ情報が表示される場合に、ページ遷移操作に応じて、当該注目コンテンツ情報の複製である複製コンテンツ情報がウインドウ画面に表示されるように構成したので、当該ページ遷移操作に応じたページ遷移により当該注目コンテンツ情報がウインドウ画面から追い出されるような場合であっても、注目コンテンツ情報の表示寿命を延ばし、当該注目コンテンツ情報へのユーザの注意を持続させ易くすることができ、更に、ユーザに対して注目コンテンツ情報を注目させ易くすることができる。特に、例えば何百件という多くのコンテンツ情報の一覧では、特定のコンテンツ情報がページ遷移により、一旦、フレームアウトしてしまうと、元のページに復帰させるまで当該特定のコンテンツ情報は再表示されないため、ユーザに注目させることは困難となってしまうが、上記構成によれば、当該特定のコンテンツ情報に対して注目設定をしておけば、そのようなコンテンツ情報を容易に注目させることができる。
【０１３６】
なお、当該実施例３においても、上記実施例１の変形形態１と同様、上記複製コンテンツ情報表示処理は、情報提供サーバＳＡのシステム制御部４が主導して実行するように構成してもよい。
【０１３７】
また、上記実施形態においては、注目コンテンツ情報がコンテンツ情報の一覧に含まれて表示される場合を本発明の適用例として説明したが、コンテンツ情報の一覧とは無関係に、例えば広告情報としてウインドウ画面に表示される場合に対しても本発明を適用することができる。
【符号の説明】
【０１３８】
１  通信部
２  記憶部
３  入出力インターフェース部
４  システム制御部
５  システムバス
２１  操作部
２２  表示部
２３  通信部
２４  ドライブ部
２５  記憶部
２６  入出力インターフェース部
２７  システム制御部
２８  システムバス
Ｔｎ  ユーザ端末
ＳＡ  情報提供サーバ
ＮＷ  ネットワーク
【図１】
0005706236.tif 000002
【図２】
0005706236.tif 000003
【図３】
0005706236.tif 000004
【図４】
0005706236.tif 000005
【図５】
0005706236.tif 000006
【図６】
0005706236.tif 000007
【図７】
0005706236.tif 000008
【図８】
0005706236.tif 000009
【図９】
0005706236.tif 000010
【図１０】
0005706236.tif 000011
【図１１】
0005706236.tif 000012